Podtech/llm-jp-corpus-v4-ja_patent huggingface dataset:
(57)【要約】【課題】簡易な構造で吸熱作用を得ることができ、長時間にわたって冷感を維持することのできる冷却具を提供する。【解決手段】冷却具は、不織布からなる外装材１に高分子吸水ポリマー２を封入した冷却部を有することを特徴とする。また、高分子吸水ポリマーを分割するように外装材の中空領域を縫合した縫合部３を有することを特徴とする。【選択図】図１
0003160969.tif 000002
【実用新案登録請求の範囲】
【請求項１】
不織布からなる外装材に高分子吸水ポリマーを封入した冷却部を有する冷却具。
【請求項２】
前記高分子吸水ポリマーを分割するように前記外装材の中空領域を縫合した請求項１記載の冷却具。
【請求項３】
前記冷却部は、高分子吸水ポリマーを布類で被覆している請求項１又は２記載の冷却具。
【考案の詳細な説明】
【技術分野】
【０００１】
本考案は、水分を浸すことで冷却効果を持続することのできる冷却具に関する。
【背景技術】
【０００２】
従来、水分が気化する際の吸熱作用（気化熱）により、長時間にわたって冷感を維持する冷却材がある。
【０００３】
例えば、特開平１１−１４２１４号公報に開示された多目的冷却シートは、気化液を内包しており、気化液と吸収水とが混同して気化し、その気化熱により吸収水が冷却されるようになっている。
【考案の開示】
【考案が解決しようとする課題】
【０００４】
しかしながら、前述の多目的冷却シートは気化液を内包している点で構造が複雑になっており、生産面やコスト面からは問題があった。
【０００５】
本考案は、このような点に鑑み、簡易な構造で吸熱作用を得ることができ、長時間にわたって冷感を維持することのできる冷却具を提供することを目的とする。
【課題を解決するための手段】
【０００６】
上記の目的を達成するため、本考案の冷却具は、不織布からなる外装材に高分子吸水ポリマーを封入した冷却部を有することを特徴とする。また、高分子吸水ポリマーを分割するように外装材の中空領域を縫合したことを特徴とする。さらに、冷却部は、高分子吸水ポリマーを布類で被覆している。
【考案の効果】
【０００７】
本考案の冷却具によれば、高分子吸水ポリマーに水分を保持させる（高分子吸水ポリマーを膨潤させる）ことで、水分の蒸散作用による気化熱で放熱させて冷感を得ることができる。
【考案を実施するための最良の形態】
【０００８】
本考案の実施の形態について、図面を参照して説明する。
図１は、本考案の実施の形態に係る冷却具の断面図、図２は、本考案の実施の形態に係る他の冷却具の断面図である。
【０００９】
冷却具は、不織布からなる外装材１に高分子吸水ポリマー２を封入した冷却部を有する。高分子吸水ポリマー２は、ポリアクリルアミドクリスタル等自重の８００倍程度の吸水能力を有し、冷水につけることで高分子吸水ポリマーに水分を保持させる（高分子吸水ポリマーを膨潤させる）ことができる。例えば、Ｗ４００×Ｄ１０×Ｈ９１０ｍｍの冷却部を有する冷却具の場合、無吸水時は２０ｇに対して吸水時は１９５ｇといったように、約２００ｍｌ程度の水分を吸水することができる。また、外装材１は、吸水性の高いコットン１００％やポリエステル繊維等からなる不織布で形成する。さらに、高分子吸水ポリマー２には、防腐剤（アルコール粉末等）を添加することが好ましい。
また、冷却具に封入された高分子吸水ポリマー２を分割するように外装材１の中空領域を縫合する（縫合部３）。縫合部３によって、冷却具に凹凸をつけることができる。
【００１０】
高分子吸収ポリマー２をそのまま外装材１でパックすると、水を付けた後に高分子吸水ポリマー２が中から布地（外装材１）を通して外に出てきてしまう可能性があるので、高分子吸水ポリマー２を目の細かい布類でパックしてから、外側の外装材１で更にパックするという構成で縫製をすれば、問題なく外に出てこない。このような構成を示したのが図２であり、目の細かい布類の部分が外装材１の下方（白部分）にあたる。
【００１１】
本考案の冷却具は、ガーデニングやゴルフ、アウトドア、スポーツ観戦、野外ライブなど、夏の屋外レジャー時の暑さ対策、熱中症予防に活躍するばかりでなく、室内で使用して冷房を控えめに設定すれば、エコ生活にも役立つものとなる。また、使っているうちに清涼感を感じにくくなったときには、裏返すか、何度か振ると、内部にとどまっている水分が染み出し、再び清涼感を得られるようになる。
【図面の簡単な説明】
【００１２】
【図１】本考案の実施の形態に係る冷却具の断面図である。
【図２】本考案の実施の形態に係る他の冷却具の断面図である。
【符号の説明】
【００１３】
１  外装材
２  高分子吸水ポリマー
３  縫合部
【図１】
0003160969.tif 000003
【図２】
0003160969.tif 000004
(57)【要約】      （修正有）【課題】トランシーバーに使用する、マグネチックイヤホーンを送話と受話に使用できる耳栓を提供する。【解決手段】トランシーバーに使用するマグネチックイヤホーンをマイクロホンとしても使用でき送話と受話に使用できる耳栓で、この耳栓は耳の外耳道との間の音声信号の空気もれを無くすために、外耳道に深く入るようにするために長くし、又蜜着性とバネ性のあるプラスチックで一体形成した耳栓。このマグネチックイヤホーンの耳栓を使用することで、マグネチックイヤホーンを送話と受話に使用できる。【選択図】図１
0003160904.tif 000002
【実用新案登録請求の範囲】
【請求項１】
トランシーバーに使用する、マグネチックイヤホーンをマイクロホンとして使用し、送話と受話が出来るようにために、耳栓と耳の外耳道との間の音声信号の空気もれを無くすために、外耳道に深く入るようにするために長くする、又蜜着性とバネ性のあるプラスチックで一体形成した耳栓、この耳栓を使用し鼓膜からの音声信号をマイクロホンとして使用できる、このマグネチックイヤホーンの耳栓を使用することで、トランシーバーの送話と受話に使用できる、マグネチックイヤホーンの耳栓。
【考案の詳細な説明】
【技術分野】
【０００１】
本考案はトランシーバー用送受話用マグネチックイヤホーンの耳栓
【背景技術】
【０００２】
トランシーバー用送受話用マグネチックイヤホーンの耳栓
【考案の開示】
【考案が解決しようとする課題】
【０００３】
本考案はトランシーバー用マグネチックイヤホーンで送受話の出きることを解決しようとすることを課題する。
【課題を解決するための手段】
【０００４】
本考案はマグネチックイヤホーンの耳栓で送受話の出きることを解決しようとする課題する。
【考案の効果】
【０００５】
上述のように本考案のマグネチックイヤホーンの耳栓で送受話の出きることで、考案の効果があった。
【考案を実施するための最良の形態】
【０００６】
上述のように本考案はマグネチックイヤホーンの耳栓を耳の外耳道に密着させることで、実施するための最良の形態とする。
【実施例】
【０００７】
図面に従って、以下添付実施例を説明する、１はマグネチックイヤホーンの耳栓で外耳道に密着させる為、外耳道に深く入る為長くする、又密着性とバネ性のあるプラスチックス等適宣素材にて一体形成された耳栓、２はマグネチックイヤホーンのケース、３はマグネチックイヤホーンの電気信号を音に変換するための振動板、
【０００８】
４はマグネチックイヤホーンの電気信号用コイル、５はマグネチックイヤホーンのマグネット６は３振動板の保持具
【図面の簡単な説明】
【０００９】
【図１】耳栓付マグネチックイヤホーン正面図
【図２】耳栓付マグネチックイヤホーン上面図
【符号の説明】
【００１０】
１    耳栓
２    ケース
３    振動板
４    コイル
５    マグネット
６    振動板保持具
【図１】
0003160904.tif 000003
【図２】
0003160904.tif 000004
【手続補正書】
【提出日】平成22年5月11日(2010.5.11)
【手続補正１】
【補正対象書類名】実用新案登録請求の範囲
【補正対象項目名】全文
【補正方法】変更
【補正の内容】
【実用新案登録請求の範囲】
【請求項１】
トランシーバーの外部受話に使用するマグネチックイヤホンを外部マイクロホンとしても使用出来るようにする為に、マグネチックイヤホンの耳栓を軸が外耳道に沿って延びる樽型に形成された耳栓を使用し、外耳道からの空気もれをなくする、音声を発したときに、振動する鼓膜の振動を前記の耳栓内の空気を介してマグネチックイヤホンの振動板伝達して、振動板の振動を音声信号に変換しする、鼓膜の振動をマイクロホンとして利用することを特徴とするトランシーバーの外部送受話装置。
(57)【要約】【課題】ネギやラッキョウ等の根を従来に比べて効率よく、しかも安全に切り落とすことができる根切り機の提供。【解決手段】鉄製フレーム（１）に２枚の円形カッター（２ａ）（２ｂ）を回転自在に取り付け、しかも両円形カッター（２ａ）（２ｂ）の外周刃先を僅かに交差させ、ネギの根元を両円形カッター（２ａ）（２ｂ）の交差部上方にあてがって下方に押し下げることで、円形カッター（２ａ）（２ｂ）が回転して根元が切断される。【選択図】図１
0003160905.tif 000002
【実用新案登録請求の範囲】
【請求項１】
ネギやラッキョウ等の根を切断する装置において、二枚の円形カッターを回転自在に取り付け、しかも両円形カッターの外周刃先を僅かに交差させたことを特徴とする、ネギ、ラッキョウ等の根切り機。
【請求項２】
鉄製フレーム等に回転自在の２枚の円形カッターを取り付け、両円形カッターの交差部の上方に開口した切り欠き部を形成した、請求項１記載のネギ、ラッキョウ等の根切り機。
【考案の詳細な説明】
【技術分野】
【０００１】
本考案は、ネギ等の出荷における根切り機である。
【背景技術】
【０００２】
本来、根切り作業はハサミなどの手作業で行っているが、生産規模の拡大につれてそれも機械化されつつあり、コンプレッサーのエァーを動力にして刃物で切るもの（非特許文献１参照）や、モーターを使って丸鋸刃で切るもの（非特許文献２参照）がある。
【０００３】
【非特許文献１】株式会社タイガーカワシマ  野菜総合カタログ2009年・商品名（きるべえ）
【非特許文献２】株式会社マツモト  農業機械製品カタログ2009年・商品名（ベストロボ）
【考案の開示】
【考案が解決しようとする課題】
【０００４】
本来、ネギ出荷の過程で、調整作業（例として、根切り、皮むきなど）は手作業で行っており、なかでも根切りはハサミを使うので要領がいるし、長時間の作業では指が疲れて能率が上がらない。最近は生産規模拡大の方向にあり、本考案は、従来の根切り作業をより効率的に行うための、根切り機を提案する。
【課題を解決するための手段】
【０００５】
本考案に係わる根切り機は、フレームに２枚の円形カッターを外周がわずかに交差するよう並列に、しかも回転自在に取り付けてある。その双方の円形カッターの交差部へネギの根元を上方から下方へ押し下げることで、それに伴い双方の円形カッターが内側に回転して、根が切断される。
【０００６】
ところで、本考案における円形カッターの材質は限定せず、また円形カッターの大きさも自由である。
【考案の効果】
【０００７】
本機の利点はいくつかある。まず本機は動力源を必要とせず、大きさもコンパクトであるために、ネギを作付けした田畑へ持ち出して利用できる。鋏を使う場合と比較して手先の疲れもなく、両手をフリーに使えるので、皮むき作業と併用することでさらに能率を上げることができる。また本機は２枚の小さい円形カッターのみで構成されており、既存の機械と比べてはるかに安価で、中小規模の生産者に向いている。
【図面の簡単な説明】
【０００８】
【図１】本考案のネギ、ラッキョウ等の根切り機を示す実施例
【考案を実施するための形態】
【０００９】
本考案に係わる「根切り機」は、ネギの根を切るために２枚の円形カッターを使用する。その２枚の円形カッターは回転自在となっている。鉄製フレームにこの２枚の円形カッターを並列に取り付け、その交差部へネギの根元をあてがい、下方に押し下げることで、その双方の円形カッターが回転して根が切れる仕組みである。
【００１０】
図１は本考案に係わる根切り機の実施例であり、同図の（１）は鉄製フレーム、（２ａ）（２ｂ）は円形カッターを表している。２枚の円形カッター（２ａ）（２ｂ）は、軸（３ａ）（３ｂ）に取り付けられて自在回転することができる。そして両円形カッター（２ａ）（２ｂ）はネギ等の根を切ることができるように外周には鋭い刃が形成されており、しかも両円形カッターの外周は互いに交差している。すなわち両円形カッター（２ａ）（２ｂ）は同一平面上になく、軸方向に僅か位置ズレして配置されている。
一方、鉄製フレーム（１）の正面板（４）には上方を開口した切り欠け部（５）を設け、上記円形カッター（２ａ）（２ｂ）の交差部（６）は、この切り欠き部（５）から露出している。
そこで、ネギの根元を切り欠き部（５）の上部開口部へ挿入し、両円形カッター（２ａ）（２ｂ）の交差部（６）の上方から下方へ押し下げることで、根元が切れて、根が切除される。
【００１１】
ところで上記の円形カッター（２ａ）（２ｂ）には、その回転がスムーズに行われるように、上記軸（３ａ）（３ｂ）にベアリングを介して軸支されている。したがって、ネギの根元を円形カッター（２ａ）（２ｂ）の交差部（６）にあてがって軽く押し下げることで、円形カッター（２ａ）（２ｂ）が回転して根元から根が切断される。その切断に伴い、円形カッター（２ａ）（２ｂ）が回転することで、すなわち、円形カッター（２ａ）（２ｂ）の全周が均等に使用され、一カ所に偏ることがないことから、部分的な摩耗が発生せず、円形カッター（２ａ）（２ｂ）の寿命が長くなる。
【００１２】
一方、上記の鉄製フレーム（１）の上部にケガ防止カバー（７）を取り付けて、円形カッター（２ａ）（２ｂ）によってケガをしない構造とすることもできる。その場合、ケガ防止カバー（７）の正面側であって、切り欠き部（５）の部位は同じように切り欠いて、ネギの根元部分が交差部（６）の上方に挿入し易いようにしている。
【符号の説明】
【００１３】
（１）  鉄製フレーム
（２）  円形カッター
（３）  軸
（４）  正面板
（５）  切り欠き部
（６）  交差部
（７）  ケガ防止カバー
【図１】
0003160905.tif 000003
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
ネギ、ラッキョウの根を切断する装置において、二枚の円形カッターを回転自在に取り付け、しかも両円形カッターの外周刃先を僅かに交差させたことを特徴とする、ネギ、ラッキョウの根切り機。
【請求項２】
鉄製フレームに回転自在の二枚の円形カッターを取り付け、両円形カッターの交差部の上方に開口した切り欠き部を形成した請求項１記載のネギ、ラッキョウの根切り機。
(57)【要約】      （修正有）【課題】夜の散歩及びジョギング等での交通事故を防止する帽子を提供する。【解決手段】後ろにＬＥＤを付けて明るく発光させる。【選択図】図１
0003160902.tif 000002
【実用新案登録請求の範囲】
【請求項１】
帽子の後ろにＬＥＤを付けて明るく光らせた構造
【考案の詳細な説明】
【０００１】この考案は、夜の散歩及びジョギング等を安全にする
【背景技術】
【０００２】帽子の後ろにＬＥＤを付けることによりその光は遠くからでも確認でき夜の散歩及びジョギング等での交通事故を防止できる
【考案が解決しようとする課題】
【０００３】従来の帽子にはこのような安全装置はなく夜光塗料を施したものは一部あるが遠くから確認するのは難しかった
【考案の結果】
【０００４】ＬＥＤと乾電池１本で発光でき重量も軽く着用していても違和感がなく快適に過ごせることができる
【図面の簡単な説明】
【０００５】
【図１】  帽子の後ろ側
【図２】  帽子の中側
【符号の説明】
【０００６】１０  帽子
１１  ＬＥＤ
１２  乾電池
【図１】
0003160902.tif 000003
【図２】
0003160902.tif 000004
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
帽子の後ろにＬＥＤを取り付けてなることを特徴とする帽子
(57)【要約】      （修正有）【課題】ベルトの裏側に目盛りを付けることで、メジャーで測らなくてもウエスト寸法が計測できるベルトを提供する。【解決手段】ベルト１０の裏側に目盛１１をつけ、ウエストの寸法がベルトを止める穴の位置で寸法の増減が分かる様に該ベルトを形成する。これにより、ベルトを締めるだけで、ウエストの寸法が数字で分かる様になり、健康管理に資することができる。【選択図】図２
0003160903.tif 000002
【実用新案登録請求の範囲】
【請求項１】
ベルトの裏側がメジャーのように目盛を付けた構造
【考案の詳細な説明】
【０００１】この考案は、常にウエストの寸法が分かるためメタボ対策になる
【背景技術】
【０００２】ベルトの裏側に目盛を付け止める穴の位置で寸法の増減が分かり健康管理ができる
【考案が解決しようとする課題】
【０００３】従来のベルトには寸法を測ると言う発想はなくデザインやカラーのみで機能が施されたものが無かった
【考案の結果】
【０００４】ベルトを締めるだけでウエストの寸法が数字にて簡単に分かるためメタボ防止に最適
【図面の簡単な説明】
【０００５】
【図１】ベルトの裏側
【図２】ベルトの拡大
【符号の説明】
【０００６】１０  ベルト
１１  目盛
１２  寸法
【図１】
0003160903.tif 000003
【図２】
0003160903.tif 000004
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
ベルトの裏側に目盛をつけたことを特徴とするベルト
(57)【要約】      （修正有） 【課題】伸縮性と耐摩耗性に優れた靴用の防水具を提供する。【解決手段】上部に足首が挿入される開口された足首部を有し、底部に靴挿入口とその前後につま先底部とかかと底部を取り付けた靴用の防水具の本体であって、前記つま先底部及びかかと底部は、耐摩耗性素材からなり、靴用の防水具の本体は伸縮性素材である。【選択図】図２
0003160906.tif 000002
【実用新案登録請求の範囲】
【請求項１】
靴挿入口を設けた靴用の防水具の本体とそのつま先部に連続するかかと底部からなる靴用防水具であって、前記靴カバーが伸縮性材料からなり、前記つま先底部及び前記かかと底部は、耐摩耗性材料からなることを特徴とする靴用の防水具.
【請求項２】
前記靴挿入口が拡大縮小可能であることを特徴とする請求項１記載の靴用の防水具。
【請求項３】
前記つま先底部とかかと底部が靴用の防水具の本体に付いていることを特徴とする靴用の防水具。
【考案の詳細な説明】
【技術分野】
【０００１】
本考案は靴用の防水具である。                                              
【背景技術】
【０００２】
防水具としてはレインコートや傘などで知られているが、靴用の防水具は商品として まだ見慣れていない。  しかし、文献を調べると雨合羽用靴カバーを確認することができた。
【先行技術文献】
【特許文献】
【０００３】
【特許文献１】実用新案登録第３１１３７４０号
【考案の概要】
【考案が解決しようとする課題】
【０００４】
従来あった雨合羽用靴カバーは、靴から雨合羽用靴カバーの下の方から脱げやすい構造になっていた。
【課題を解決するための手段】
【０００５】
本考案は、靴挿入口を設けた靴用の防水具の本体と、そのつま先底部に連続するかかと底部からなる靴用の防水具であり、つま先底部とかかと底部が付いていることで雨合羽靴用カバーとは違う脱げやすい構造を解決するものである。
【考案の効果】
【０００６】
バイクや傘での自転車通行で急に雨や雪が降っても靴用の防水具を携帯し、つま先部
とかかと部にはめ込み着用すれば靴を濡れないようにすることが可能である。
【図面の簡単な説明】
【０００７】
本考案に係る形状と特性の概観である。
【図１】本考案の上から見た図面である。
【図２】本考案の下から見た図面である。
【図３】本考案の側面から見た図面である。
【考案を実施するための形態】
【０００８】
図１,図２,図３,に示すように、１靴用の防水具の本体に、２足首部、を開口し、３つま先底部と４かかと底部を、靴の防水具の本体前後に接着させる。そして、５靴挿入口を伸ばしながら靴をはめ込む。
【符号の説明】
【０００９】
１靴用の防水具の本体
２足首部
３つま先底部
４かかと底部
５靴挿入口
【図１】
0003160906.tif 000003
【図２】
0003160906.tif 000004
【図３】
0003160906.tif 000005
【手続補正書】
【提出日】平成22年5月7日(2010.5.7)
【手続補正１】
【補正対象書類名】実用新案登録請求の範囲
【補正対象項目名】全文
【補正方法】変更
【補正の内容】
【実用新案登録請求の範囲】
【請求項１】
上部に足首が挿入される開口された足首部を有し、底部に靴挿入口とその前後につま先底部とかかと底部を取り付けた靴用の防水具の本体であって、前記つま先底部及びかかと底部は、耐摩耗性素材からなり、靴用の防水具の本体は伸縮性素材であることを特徴とする靴用の防水具。
【請求項２】
前記足首部は本体上部方向に伸びた箇所に設けたことを特徴とする請求項１記載の靴用の防水具。
【手続補正２】
【補正対象書類名】明細書
【補正対象項目名】０００８
【補正方法】変更
【補正の内容】
【０００８】
図１、図２、図３に示すように、靴用の防水具の本体１に、足首部２を開口しつま先底部３とかかと底部４を、靴用の防水具１の本体前後に接着させる。そして、本体の底部に設けた靴挿入口５より靴を挿入し、靴を入れ込むにあたりつま先底部３とかかと底部４との間を拡大して靴挿入口５から靴を挿入した後、足を足首部２から挿入して、靴を履く。
(57)【要約】      （修正有）【課題】メガホン本体のラッパ状に傾斜のついた円筒部に競技チームのロゴマーク、チームマスコット、チーム名が、飛び出て見えたり、浮き上がって見えるように立体画像で表示したステッカー、銘板、樹脂シートを装着させることで、スリーＤ効果により、新規性を確保するメガホンを提供する。【解決手段】メガホン本体は、傾斜のあるラッパ状円筒部２が中央広範囲を占め、先端はもっとも広い開口部である拡声口１と反対側に比較的小さな開口部の発声口３から構成されており、メガホン本体は合成樹脂で形成している。立体チームロゴマークステッカー６と立体チーム名ステッカー７は、視覚的に飛び出て見えたり、浮き上がって見えるようにスリーＤ効果で表示されている。これらのステッカーを本体ラッパ状円筒部２に粘着又は接着することで、メガホンを構成する。【選択図】図２
0003160942.tif 000002
【実用新案登録請求の範囲】
【請求項１】
視覚的に飛び出て見えたり、浮き上がって見えたりするスリーＤ効果のある立体画像をステッカー、銘板、樹脂シートに加工し、それら表示物を本体に装着したスポーツ観戦時に応援目的として使用するメガホン。
【考案の詳細な説明】
【技術分野】
【０００１】  本考案は、野球、サッカーなどのスポーツ観戦で使用される応援用メガホンの表面装飾に関するものである。【０００２】  スポーツ観戦応援用メガホンとしては、声援を拡大させるだけでなく、拍子木のように打ち鳴らす機能をもったものもある。また、チームごとにチームロゴマーク、チームマスコット、チーム名など個性的な装飾がなされている。メガホンの装飾という点においては、実用新案文献１や非実用新案文献１のように開示されたものがある。
【実用新案文献１】
登録実用新案第３００７７７０号
【非実用新案文献１】
実用新案公開平０５−０７９５９７
【考案の開示】
【考案が解決しようとする課題】
【０００３】  スポーツ観戦時に応援用に使用されるメガホンは、ひいきのチームに声援を送ったり、拍子木のように打ち鳴らしたりして利用されている。それぞれの競技チームのチームカラーで本体が形成され、チームロゴマーク、チームマスコット、チーム名が粘着剤のついたステッカー、銘板などで本体に取り付けられたり、樹脂シートに印刷されたものがメガホン本体に装着されているのが一般的である。１０年、２０年前と近年の応援用メガホンを比較しても大きな差異はなく、進歩性に乏しく、陳腐化している。
【課題を解決するための手段】
【０００４】  そこで課題を解決する手段として、メガホン本体のラッパ状に傾斜のついた円筒部に競技チームのロゴマーク、チームマスコット、チーム名が、飛び出て見えたり、浮き上がって見えるように立体画像で表示したステッカー、銘板、樹脂シートを装着させることで、時代の流れに合致したスリーＤ効果により、新規性を確保することが可能になる。
【考案の効果】
【０００５】  立体映像の映画の配給開始、立体映像テレビの発売などスリーＤに多くの人々が関心を抱いている。ひいきの競技チームの立体画像を装着したメガホンであるが、視覚的に飛び出て見えたり、浮き上がって見えたりすることで、新鮮度を増すことができるため、消費者の購買意欲を刺激し、市場の活性化に貢献する。
【考案を実施するための最良の形態】
【０００６】  図１は従来のスポーツ観戦応援用メガホンである。本考案のメガホンは図２で表されている。メガホン本体は、傾斜のあるラッパ状円筒部２が中央広範囲を占め、先端はもっとも広い開口部である拡声口１と反対側に比較的小さな開口部の発声口３から構成されており、メガホン本体は合成樹脂で形成している。【０００７】図２の立体チームロゴマークステッカー６と立体チーム名ステッカー７は、視覚的に飛び出て見えたり、浮き上がって見えるようにスリーＤ効果で表示されている。これらのステッカーを本体ラッパ状円筒部２に粘着又は接着することで、本考案メガホンを得ることができる。
【図面の簡単な説明】
【０００８】
【図１】  従来のスポーツ応援用メガホン
【図２】  本考案に係る立体表示物装着メガホン
【符号の説明】
【０００９】１          メガホン本体拡声口
２          メガホン本体ラッパ状円筒部
３          メガホン本体発声口
４          平面チームロゴステッカー
５          平面チーム名ステッカー
６          立体チームロゴステッカー
７          立体チーム名ステッカー
【図１】
0003160942.tif 000003
【図２】
0003160942.tif 000004
(57)【要約】      （修正有）【課題】液体及び浮遊物により印刷意匠及び図柄に視覚的変化を与えることができる機構を持つ樹脂製マウスパッドを提供する。【解決手段】樹脂製マウスパッドに封入する液体及び浮遊物３に着色を施し、本体に施されている印刷の意匠及び図柄の上に配置することで、液体及び浮遊物３が本体へ施された印刷の意匠や本体の形状とのデザイン上での関連性を持たせ、装飾性を向上させることが可能となる。また、液体封入部を指で押したりするなどの外部からの力の入力、又は重力により、着色が施された液体及び浮遊物の形状が変化、移動し、本体に施された印刷の意匠及び図柄を隠蔽及び現出させることが可能になる。これにより、本体に施された印刷意匠及び図柄に視覚的変化を与えることができる。また、必要に応じ着色された液体又は浮遊物を覆う箇所の樹脂板表面に印刷等で図案２を付する事により、視覚的効果を更に追加することができる。【選択図】図１
0003160947.tif 000002
【実用新案登録請求の範囲】
【請求項１】
複数枚の樹脂板の間に着色された液体及び浮遊物を入れ、周囲を溶着した樹脂製マウスパッドであり、着色された液体及び浮遊物の変形、移動により、その下にある印刷意匠、図柄に視覚的変化を与える構造を持つマウスパッド。
【考案の詳細な説明】
【技術分野】
【０００１】本考案は複数枚の樹脂板の間に液体及び浮遊物を入れ、周囲を溶着した樹脂製マウスパッドに関するものである。
【背景技術】
【０００２】家庭や企業、店舗などで使用される液体及び浮遊物入り樹脂製マウスパッドは、製品本体へ施された印刷の意匠に加え、液体及び浮遊物の封入による装飾が施されている。
【考案の概要】
【考案が解決しようとする課題】
【０００３】従来の液体及び浮遊物入り樹脂製マウスパッドは、本来、装飾性を高めるために、液体及び浮遊物を封入しているが、封入される液体及び浮遊物が透過性のあるものであるため、封入したものと封入していないものとの外見の差がほとんどなく、装飾性の向上にはあまり貢献していないものも存在する。
また、液体及び浮遊物が本体へ施された印刷の意匠や本体の形状とのデザイン上での関連性がないのも、装飾性の向上に貢献していない一因である。仮に、従来の透過性のある液体及び浮遊物を用いて、本体へ施された印刷の意匠や本体の形状とのデザイン上での関連性を持たせ、装飾性を向上させようとした場合、透過性があるために、充分な効果を得ることは不可能であった。【０００４】そこで、液体及び浮遊物に着色を施し、さらにそれらを本体へ施された印刷の意匠及び図柄の前面に配置することにより、液体及び浮遊物が印刷の見え方を変化させることができる。また、この着色を施された液体及び浮遊物が印刷の前面を移動することで、印刷の意匠そのものが変化をするかのような視覚的効果を得ることもできるため、見た目に楽しく、使用者に癒しを与える。
【課題を解決するための手段】
【０００５】上述の様に、本考案は、樹脂製マウスパッドに封入する液体及び浮遊物に着色を施し、本体に施されている印刷の意匠及び図柄の上に配置することで、液体及び浮遊物が本体へ施された印刷の意匠や本体の形状とのデザイン上での関連性を持たせ、装飾性を向上させることが可能となる。また、液体封入部を指で押したりするなどの外部からの力の入力、又は重力により、着色が施された液体及び浮遊物の形状が変化、移動し、本体に施された印刷の意匠及び図柄を隠蔽及び現出させることが可能になる。これにより、本体に施された印刷意匠及び図柄に視覚的変化を与えることができる。また、必要に応じ着色された液体又は浮遊物を覆う箇所の樹脂板表面に印刷等で図案を付する事により、視覚的効果を更に追加することができる。この手段を用いた総合的な意匠設計を施すことにより、使用者の高い注目を狙うことができる。封入する液体の色及び透明度、浮遊物の色・形状・印刷を好みのものにすることができる。
【考案の効果】
【０００６】液体及び浮遊物が封入された箇所を、指で押すなどで力を加えたり、本体またはその一部を傾けて重力の変化を与えることにより、液体または浮遊物が動き、その下面に施された印刷の意匠の見え方が変化する。
【図面の簡単な説明】
【０００７】
【図１】本考案の複数枚の樹脂板の間に着色された液体及び浮遊物を入れ、周囲を溶着した樹脂マウスパッドの正面図である。
【図２】複数枚の樹脂板で液体及び浮遊物を封じ込め、本考案品を作成する様子である。
【考案を実施するための形態】
【０００８】樹脂製マウスパッドの本体に施された印刷の意匠及び図柄の前面に、樹脂板による液体の封入用の空間を設け、着色された液体及び浮遊物を封入後、その周囲を溶着したものである。
【実施例】
【０００９】以下、添付図面に従って一実施例を説明する。１は樹脂板、２は樹脂板または紙の印刷物、３は着色された液体及び浮遊物で、１と２の間に３を封入し、その周囲を溶着する。
【符号の説明】
【００１０】１    透明または半透明な樹脂板
２    印刷が施された樹脂板または紙
３    液体及び浮遊物
【図１】
0003160947.tif 000003
【図２】
0003160947.tif 000004
(57)【要約】      （修正有）【課題】削りの作業を容易に正確に、なお克迅速に行うことができる陶芸削り補助具を提供する。【解決手段】ロクロで粘土を削る行程で、最初ロクロと粘土を一時的に密着固定させるには、柔らかい粘土を３点以上止める。または、ロクロの上に湿台を置き、その上に半乾きの粘土の底を上にして置く。本品を高台部分の中心に置き、甲指か人差し指で押さえ、任意の形に整える。最後に本品を外し、高台の中の部分をくり抜くと完成する。本品の中央のベアリングに固定された、１、３の円形の木材は、互いに影響されることなく、円運動ができる。このことによって、押さえる指に力が加わり、粘土がしっかりとロクロや湿台に固定され、より任意の成形が可能となる。さらに大きな作品もアタッチメントを装着することで、同様の高度な削りが期待できる。【選択図】図５
0003160945.tif 000002
【実用新案登録請求の範囲】
【請求項１】
木製円盤である小円木質部と、前記小木質部より大きい直径を持つ木製円盤である大円木質部と、前記小円木質部と前記大円木質部をつなぐベアリングより成ることを特徴とする陶芸削り補助具。
【請求項２】
前記大円木質部よりも大きい直径を有し、前記削り補助具をはめ込む事が可能なはめ込み部を有するアタッチメントをさらに有することを特徴とする請求項１に記載の陶芸削り補助具。
【考案の詳細な説明】
【技術分野】
【０００１】  陶芸成形の道具に関する。
【背景技術】
【０００２】  作陶の過程で、半乾きの作品をロクロに乗せ、高台周辺を削る作業中、湿台に作品を固定さすため、中心に中指（又は人差し指）を置き、上から力を加えていた。
【先行技術文献】
【特許文献】
【０００３】
【特許文献１】  実登録３１２３６１３号公報
【考案の概要】
【考案が解決しようとする課題】
【０００４】  作陶の過程で、半乾きの作品をロクロに乗せ、高台周辺を削る作業中、湿台に作品を固定さすため、中心に中指（又は人差し指）を置き、上から力を加える。その時、指と粘土の間に摩擦が生じる。これを解決する良い方法はないものか。
また、寸法の異なる作品の底辺に対応する方法はないものか。が課題であった。
【課題を解決するための手段】
【０００５】  これを防ぐために、指と作品の間にベアリングを使用した本件を挟むことにより、強く力を入れしっかりと固定することができる。またアタッチメントの中から適応する寸法を選び装着することで、大小さまざまな作品の削りに対処できるようになった。
【考案の効果】
【０００６】  ベアリングを木材で挟むことによって、粘土が密着して外れにくくなるのを防ぎ、着脱が容易になった。ニスやラッカー等でコーティングすると、その効果がなくなる。従ってコーティングしない木地のまま、本品を使用するとよい結果が生じる。
本品を使い慣れることにより、未熟な方でも削り作業が楽になり、より本人の思いに近い作品にできあがることが期待できる。
【図面の簡単な説明】
【０００７】
【図１】本考案の陶芸削り補助具本体の立体図。上下木質部の円径の違いは作品の高台の大きさによってどちらかの最適な面を会わすようにする。どちらも会わない場合はアタッチメントを使用する。
【図２】本考案の陶芸削り補助具本体の断面図。
【図３】本考案の陶芸削り補助具アタッチメントの立体図。
【図４】本考案の陶芸削り補助具アタッチメントの断面図。
【図５】本考案の陶芸削り補助具本体とアタッチメントの合体の立体図。アタッチメントも高台の径の違いにあわせて数個あった方が理想的だ。しかし現実的には場所をとるので、最低１，２個用意しておきたい。
【図６】本考案の陶芸削り補助具本体とアタッチメントの合体の断面図。１ｂの直径と３ｂの内径は同じ。隙間無くきっちり入る。３ａの直径の違うアタッチメントを数個用意する。
【符号の説明】
【０００８】１  陶芸削り補助具木質部    １ａ  削り補助具小円木質部
１ｂ  削り補助具大円木質部
２  ベアリング
３  アタッチメント          ３ａ  削り補助具アタッチメント外周部
３ｂ  削り補助具アタッチメント中央くぼみ部
【図１】
0003160945.tif 000003
【図２】
0003160945.tif 000004
【図３】
0003160945.tif 000005
【図４】
0003160945.tif 000006
【図５】
0003160945.tif 000007
【図６】
0003160945.tif 000008
(57)【要約】      （修正有）【課題】現場作業の大幅の省力化、現場作業の危険度の軽減、さらに低コストで気密性・断熱性・施工性に優れた良好な木造住宅を安定供給する。【解決手段】予め加工された柱３、胴差し又は桁４および土台により枠組みを構成し、土台と胴差し間に間柱を入れ、必要箇所に筋交い６を入れ、更に断熱のため片面に板状の断熱材７を貼り付けるか、又は片面に通気シートを貼り、繊維状または綿状の断熱材を間柱間に充填して成る断熱大型パネルにおいて、仕切り土台との嵌合部に逆さ蟻大入れ加工を施した土台を用いることを特徴とする断熱大型パネルを提供する【選択図】図１
0003160948.tif 000002
【実用新案登録請求の範囲】
【請求項１】
予め加工された柱、胴差し又は桁および土台により枠組みを構成し、土台と胴差し間に間柱を入れ、必要箇所に筋交いを入れ、更に断熱のため片面に板状の断熱材を貼り付けるか、又は片面に通気シートを貼り、繊維状または綿状の断熱材を間柱間に充填して成る断熱大型パネルにおいて、仕切り土台との嵌合部に逆さ蟻大入れ加工を施した土台を用いることを特徴とする断熱大型パネル
【考案の詳細な説明】
【技術分野】
【０００１】  本考案は、木造住宅における断熱大型パネル組立建築工法による木造住宅用断熱大型パネルに関するものである。
【背景技術】
【０００２】  現在の木造住宅の建て方は、一番最初に土台を置き、柱を立てて、胴差し又は桁を上げた構造体を作り、それから間柱、筋交いを取り付けその後、断熱材を貼り付けるか、又は通気シートを貼り付けて断熱材を充填する方法である。胴差し又は桁を上げる作業は高所作業で危険が伴う。また間柱、筋交いを入れ、断熱材を貼り付け、又は充填する作業は低所での作業から高所での作業までする必要があり作業効率は良くない。
上記のように、従来の木造住宅の建て方では職人が高い所に上がり、危険性をともない又、作業効率も良くない。
【先行技術文献】
【特許文献】
【０００３】
【特許文献１】特開２００７−１００３９８
【考案の概要】
【考案が解決しようとする課題】
【０００４】  職人が高い所に上がり、危険をともなう作業を軽減し、作業効率を上げた工法で構築した安価な木造住宅建築を可能とする断熱大型パネルを提供することを目的とするものである。
【課題を解決するための手段】
【０００５】  予め加工された柱、胴差し又は桁および土台により枠組みを構成し、土台と胴差し間に間柱を入れ、必要箇所に筋交いを入れ、更に断熱のため片面に板状の断熱材を貼り付けるか、又は片面に通気シートを貼り、繊維状または綿状の断熱材を間柱間に充填して成る断熱大型パネルにおいて、仕切り土台との嵌合部に逆さ蟻大入れ加工を施した土台を用いることを特徴とする断熱大型パネルである。
【考案の効果】
【０００６】断熱大型パネル構造体を組み立てるにあたり、予め加工された柱、胴差し又は桁、逆さ蟻大入れ加工をした土台、間柱、筋交等を現場の床平面上に寝かせたままで組立てる事ができて、更に床平面上に寝かせたままで断熱材貼り付け又は断熱材充填まで加工した断熱大型パネル構造体を作製できる。それをクレーンで吊って基礎アンカーボルトに落とし込むと共に逆さ蟻加工した仕切り土台に嵌め込んで組み立てる事ができる。そのため、安全で正確な作業ができ、しかも作業効率性もよくなる。その結果工事期間が短く、コストも低減できる。
【図面の簡単な説明】
【０００７】
【図１】断熱大型パネル壁構造体の斜視図
【図２】断熱大型パネル壁構造体の枠組み図
【図３】断熱大型パネル壁構造体土台部逆さ蟻大入れ加工と内部仕切り土台逆さ蟻仕口加工図
【図４】断熱大型パネル壁構造体組立図
【図５】本考案の土台部逆さ蟻大入れ加工と内部仕切り土台逆さ蟻仕口加工説明図
【図６】通常の土台部蟻大入れ加工と内部仕切り土台蟻仕口加工説明図
【図７】土台部分枠組み図
【考案を実施するための形態】
【０００８】本考案の実施形態を説明するために、標準的な作業工程を説明するが、これに限定されるものではない。まず内部の仕切り土台をあらかじめ基礎コンクリート上に設置をしておく。外回り土台に組み付ける内部の仕切り土台８の仕口には、予め逆さ蟻仕口加工をしておく。
【０００９】次に内部の仕切り土台の床平面上で、外回りの断熱大型パネルである壁構造体１を組み立てる。予め加工された柱３、胴差し又は桁４、逆さ蟻大入れ加工をした土台２、間柱５、筋交６等を現場の床平面上に寝かせたままで組立て、更に床平面上に寝かせたままで断熱材７を貼り付け又は断熱材充填まで加工した断熱大型パネル壁構造体を作製する。
【００１０】窓のある壁の場合には前記壁構造体に窓又は窓枠を付けて、外側に通気胴縁を打ち付けた壁構造体を使用する事も有効である。窓の設置する所に敷居と鴨居を入れ、窓回りに気密テープを貼り、予め窓又は窓枠を取付けることもできる。
この様にして組み立てた外回りの断熱大型パネル壁構造体１をクレーンで吊り上げ、内部の仕切り土台８と外回り土台２の大入れ加工部を嵌合させることにより外壁を組み立てる。この様な作業を繰り返し外壁を組み上げて木造住宅を構築する事ができる。
【００１１】設計によっては前記構造体の板状の断熱材と、繊維状又は綿状の断熱材を複合させた壁構造体とする事も可能である。当然外断熱と充填断熱の複合は、気密性・防水性が保たれるように施工する。床平面で作業するため、足場に上がって作業するよりも、はるかに正確で作業工程も早い。
【００１２】現場で寝かせて組立てをし、ワンスパン１０ｍ位まで構造体を作り、クレーンで吊り上げる事ができるので、労働量の短縮、正確な作業かつ安全な作業ができる。
【００１３】間柱、筋交いは作業場で正確に加工をして現場で組立てるので、現場で加工する物がなく、現場がきれいで効率が良い。
【００１４】しかも工期短縮ができ、安くていい住宅が供給できる。又、熟練した職人でなくても多少の経験があれば組立てが可能である。
【符号の説明】
【００１５】１  断熱大型パネル壁構造体
２  逆さ蟻大入れ加工の断熱大型パネル壁構造体土台
３  柱
４  胴差し・又は桁
５  間柱
６  筋交
７  板状の断熱材
８  逆さ蟻仕口加工の内部仕切り土台
２２  一般の蟻大入れ加工土台
８８  一般の蟻仕口加工土台
９９  断熱大型パネル吊り上げ用ワイヤー
【図１】
0003160948.tif 000003
【図２】
0003160948.tif 000004
【図３】
0003160948.tif 000005
【図４】
0003160948.tif 000006
【図５】
0003160948.tif 000007
【図６】
0003160948.tif 000008
【図７】
0003160948.tif 000009
(57)【要約】      （修正有）【課題】傘の表面布部分に光に反応するポリエステル素材を織り込み見る方向により、違う色彩に見える視覚的演出効果により見た人に衝撃と興味と驚きと楽しませる効果と、晴れた日にはＵＶ（紫外線）カットの効果がある晴雨兼用の傘を提供する。【解決手段】傘の構成を上から１石突き２菊座３天紙４布地となっている、光に反応するポリエステル素材で見る方向により色彩が違って見える４布地を傘の骨部材に取り付けた布部材を表面生地に採用、柄部を手で把持して使用する傘であって、ＵＶ（紫外線）カット効果のある素材の構成によりその効果が継続的である様に形成する。【選択図】図１
0003160944.tif 000002
【実用新案登録請求の範囲】
【請求項１】
傘の表面布として、光に反応する特徴の素材からなる布地を使用し、見る方向により色彩が変化して見える傘。
【考案の詳細な説明】
【技術分野】
【０００１】  本考案は自然現象の雨や、紫外線から身を守る為の傘に関する。
【背景技術】
【０００２】一般に傘は、その表面布として模様をプリントしたものや黒色など無地の布地を用いているが、布地が見る方向によって色彩が変化するタイプのものは無かった。
【先行技術文献】
【特許文献】
【０００３】  なし
【考案の開示】
【考案が解決しようとする課題】
【０００４】本考案は、傘の（４）表面布部分が光に反応する（７）（８）ポリエステル素材を織り込み見る方向により違う（５）（６）色彩に見える視覚的演出効果により見た人に衝撃と興味と驚きと楽しませる効果と、晴れた日にはＵＶ（紫外線）カットの効果がある。傘の提供を課題とする。
【課題を解決するための手段】
【０００５】光に反応する（７）（８）ポリエステル素材を傘の（４）表面布地に採用、ＵＶ（紫外線）カット効果のあるポリエステル素材の構成によりその効果が継続的であることを特徴とするＵＶカット効果の有る傘。
【考案の効果】
【０００６】傘といえば雨の日に使用するもので布地の色彩が変化するものは無かったが見る方向により色彩が違って見えることで従来には無かった傘で『継続使用でも変わらない効果がある』『ＵＶ（紫外線）カット効果が有り晴れた日にも使用できる』その意外性と便利性は使用する楽しみと見た人にも興味と驚きを提供する
【図面の簡単な説明】
【０００７】
【図１】本考案の傘の構図である。
【図２】傘の表面が見る方向によりちがう色彩に見える図である。
【図３】傘の表面が見る方向によりちがう色彩に見える図である。
【図４】布地の拡大図である。
【考案を実施するための形態】
【０００８】傘の骨部材に光に反応するポリエステル素材の布地を縫い付けることによりこの布素材が傘の表面部分になり、見る方向により布地の色彩が変化したように見せることが出来る。
【実施例】
【０００９】本考案は、傘は上部から説明すると（１）石突き（２）菊座（３）天紙（４）布地となっている（４）表面布部分が光に反応する（７）（８）ポリエステル素材を織り込み見る方向により違う（５）（６）色彩に見える視覚的演出効果により見た人に衝撃と興味と驚きと楽しませる効果と、晴れた日にはＵＶ（紫外線）カットの効果がある。繰り返し使用しても変わらない効果を得る。日傘としても使用出来る。
【産業上の利用可能性】
【００１０】本考案は自然現象の雨や雪、紫外線から身を守る為の傘として使用できる
【符号の説明】
【００１１】（１）    石突き
（２）    菊座
（３）    天紙
（４）    布地
（５）    無地の布地が見る角度により色彩が違って見える
（６）    布地が見る角度により色彩が違って見える
（７）    繊維自体が角度により色彩が違って見える
（８）    繊維自体が角度により色彩が違って見える
【図１】
0003160944.tif 000003
【図２】
0003160944.tif 000004
【図３】
0003160944.tif 000005
【図４】
0003160944.tif 000006
(57)【要約】      （修正有）【課題】消防職員や医療従事者等の方々が災害時に活動する際に、業務に応じて装備する物を収納するポーチを自由に選んで取り付けることができる織テープ付き反射ベストを提供する。【解決手段】反射材２の付いたベストの前身頃と後身頃表面に、幅１０ｍｍから４０ｍｍの繊維製の織テープ１を、織テープ１の幅と同じ間隔で複数本を平行に、３５ｍｍ以上の間隔でベスト本体に縫製で接合することを特徴とする。【選択図】図１
0003160943.tif 000002
【実用新案登録請求の範囲】
【請求項１】
前身頃と後身頃に幅１０ｍｍから４０ｍｍの繊維製の織テープを、１０ｍｍから４０ｍｍ間隔で平行に、３５ｍｍ以上の間隔毎に本体に接合した反射ベスト。
【考案の詳細な説明】
【技術分野】
【０００１】  本考案は、消防士や災害ボランティア、災害時の医療従事者が災害時や緊急時に着用する反射ベストに関する。
【背景技術】
【０００２】  従来、反射ベストは本体の前身頃と後身頃に反射材が設けてあり、視認性を確保するだけの物や、あらかじめポケットが付いた収納性を有した反射ベストがあった。また、反射ベストとは別に必要に応じウエストポーチやベルトに取り付けるポーチを併用していた。
【考案の概要】
【０００３】
【考案が解決しようとする課題】
【０００４】  これには次のような欠点があった。
（イ）反射ベストを着用すると下に着ている衣類のポケットが使えなくなる。
（ロ）災害時に着用する反射ベストには大容量のポケットが付いている物もあるが、災害時に活動する人は全て同じ活動をするのではなく、活動内容に応じた装備品があり、同じポケットでは万人に使いやすいとは言えなかった。
（ハ）交通誘導をする際に着用する反射ベストにはポケットは必要ないが、災害時の救助活動に行く際はポケットが必要であり、状況に応じて違う反射ベストを数着用意する必要があった。
（ニ）無線機ホルダーが左右どちらかの胸部分に付いているベストがあるが、人によっては逆の胸に装着、または両方に装着したい人もいる。
【課題を解決するための手段】
【０００５】  反射材（２）の付いたベストの前身頃と後身頃表面に、幅１０ｍｍから４０ｍｍの繊維製の織テープ（１）を、織テープ（１）の幅と同じ間隔で複数本を平行に縫製にて接合する。織テープ（１）とベスト本体を接合する際は、織テープ（１）の長辺に対し垂直に縫製し、３５ｍｍ以上の間隔毎に縫製で複数箇所をベスト本体に接合する。
本考案は、以上のような構成よりなる織テープ付き反射ベストである
【考案の効果】
【０００６】  本考案の織テープ付き反射ベストは、世の中に売られているベルトに通すポーチ類を付けることができるので、ポーチをポケットの代わりとして使用する事ができる。また、少量の物しか必要の無い場合は小さなポーチを付け、逆に持ち物の多い場合は大きなポーチや数多くのポーチを付け、まったく収納の必要が無い場合は全て取り外し、といった具合に必要に応じて取り付け取り外しができるので、個人で用途に応じて様々なベストを用意する必要が無く、一着で対応が可能である。そして、ポーチの取り付ける場所も自由に変更可能である。
【図面の簡単な説明】
【０００７】
【図１】  本考案の正面図である。
【図２】  本考案の背面図である。
【図３】  本考案の実施例を表す斜視図である。
【考案を実施するための形態】
【０００８】（イ）反射材（２）の付いたベストの前身頃の胸部や腹部に、幅１０ｍｍから４０ｍｍの強度のある合成繊維製の織テープ（１）を縫製にて接合する。
（ロ）反射ベストの前身頃に縫製にて設けた織テープ（１）から、織テープ（１）の幅の分だけ空けた位置に、織テープ（１）をベスト本体に縫製で接合する。
（ハ）織テープ（１）とベスト本体を接合する際は、織テープ（１）の長辺に対し垂直に縫製する。
（ニ）織テープ（１）とベスト本体を接合する際は、縫製の間隔を３５ｍｍ以上あけて複数箇所接合する。
（ホ）上記方法で織テープ（１）を３本以上並列させて設けることが望ましい。
（ヘ）反射ベストの後身頃にも織テープ（１）を設ける場合は、ベストのなるべく下部に前身頃同様に３本以上並列させて設けることが望ましい。
【実施例】
【０００９】  以下、本考案の実施例について説明する。
本考案は、反射材（２）の付いたベストに設けた織テープ（１）の縫製と縫製の間のベスト本体から浮いている開口部（３）に、ズボン等に取り付け可能なベルトポーチ（５）の取り付けループ（４）を差し込み固定する。その際、織テープ（１）１本に固定するのではなく、ベルトポーチ（５）の取り付けループ（４）の長さに余裕がある場合は複数本の織テープ（１）の開口部（３）に通すと、より強固に固定ができる。
【産業上の利用可能性】
【００１０】  本考案の織テープ付き反射ベストは、消防職員や医療従事者等の方々が災害時に活動する際に、業務に応じて装備する物を収納するポーチを自由に選んで取り付けることができる。また同じ所属の人でも好みで道具の形状や大きさが異なったり、携帯するものが異なったりするので、個人の好みで取り付けるポーチを変更する事が可能であり、自分で使いやすい反射ベストにすることが可能。そして、大きなポーチを沢山付けることで鞄を持つことなく両手が空くので、災害時の活動に便利である。
【符号の説明】
【００１１】１  織テープ
２  反射材
３  開口部
４  ループ
５  ポーチ
【図１】
0003160943.tif 000003
【図２】
0003160943.tif 000004
【図３】
0003160943.tif 000005